(57)【要約】【課題】製造コストを削減できる多段式組立箱を提供することを目的とする。【解決手段】一のブランク板１ａから組み立てられるとともに、開口部２ａ及び開口部２ｂを上下に並設した正面板２と、正面板２に対向する背面板３と、上面に配される上面板４と、底面に配される底面板５と、両側面に配される右側面板６及び左側面板７と、正面板２の前面を開閉する扉板８と、開口部２ａと開口部２ｂとの間に配される棚板９とを備え、開口部２ｂが正面板２に設けた切り込み線２２１ｂに沿って切起し片２１ｂを切り起こして形成されるとともに、切起し片２１ｂの先端２１１ｂを背面板３の内面に接着して棚板９を形成した。【選択図】図７
2015081137.tif 000002
【特許請求の範囲】
【請求項１】
一のブランク板から組み立てられるとともに、複数の開口部を上下に並設した正面板と、前記正面板に対向する背面板と、上面に配される上面板と、底面に配される底面板と、両側面に配される一対の側面板と、前記正面板の前面を開閉する扉板と、前記開口部間に配される棚板とを備え、少なくとも一の前記開口部が前記正面板に設けた切り込み線に沿って切起し片を切り起こして形成されるとともに、前記切起し片の先端を前記背面板の内面に接着して前記棚板を形成したことを特徴とする多段式組立箱。
【請求項２】
前記ブランク板の一面を印刷面に形成して他面を非印刷面に形成し、前記正面板の前面に前記印刷面を配置するとともに、前記切り込み線が上端を開放したコ字状に形成されることを特徴とする請求項１に記載の多段式組立箱。
【請求項３】
前記上面板から切り起こした一対の把手部を有し、最上段の前記開口部の前記切起し片を前記上面板に接着して前記把手部の切り起しにより形成される孔部を塞ぐことを特徴とする請求項２に記載の多段式組立箱。
【請求項４】
前記扉板が前記底面板に連設されるとともに上端部を折曲して前記上面板上に配される係止部を有し、前記係止部から後端を支持して切り起こされる係止片が前記上面板に設けたスリットに挿入されることを特徴とする請求項１〜請求項３のいずれかに記載の多段式組立箱。
【請求項５】
前記上面板から切り起こした一対の把手部を有し、前記扉板が前記底面板に連設されるとともに上端部を折曲して前記上面板を覆うカバー部を有し、前記カバー部に前記把手部が挿通される挿通孔を設けたことを特徴とする請求項１または請求項２に記載の多段式組立箱。
【請求項６】
前記側面板が前記正面板及び前記背面板にそれぞれ対向する対向部を有したコ字型の水平断面形状に形成され、前後の前記対向部間が前記棚板の側端に当接または近接することを特徴とする請求項１〜請求項５のいずれかに記載の多段式組立箱。
【請求項７】
前記底面板の両側端に連設して前記底面板上に折り返される折返し部を有し、前記折返し部の先端に突設した突設部が前記側面板に設けたスリットに挿入されることを特徴とする請求項６に記載の多段式組立箱。
【請求項８】
前記ブランク板が板紙により形成され、前記扉板の上下方向を紙の目の方向にしたことを特徴とする請求項１〜請求項７のいずれかに記載の多段式組立箱。
【請求項９】
前記ブランク板が、前記正面板、前記上面板、前記背面板、前記底面板、前記扉板を順に一方向に連設し、前記正面板または前記背面板の両側方に前記側面板を連設して形成されることを特徴とする請求項１〜請求項８のいずれかに記載の多段式組立箱。
【請求項１０】
前記ブランク板が、前記正面板、前記上面板、前記背面板、前記底面板を順に一方向に連設するとともに、前記背面板の両側方に前記側面板を連設し、前記扉板を前記正面板の側方に連設して形成されることを特徴とする請求項１〜請求項３のいずれかに記載の多段式組立箱。
【発明の詳細な説明】
【技術分野】
【０００１】
本発明は、内部を上下に仕切る棚板を備える多段式組立箱に関する。
【背景技術】
【０００２】
従来の多段式組立箱は特許文献１に開示されている。この多段式組立箱は箱体と棚板とから成る。箱体は一のブランク板から組み立てられ、正面板、背面板、上面板、底面板及び側面板を有する。正面板及び背面板は底面板上に立設して互いに対向する。上面板は正面板及び背面板の上端にそれぞれ設けられ、一対の上面板が一部重なって箱体の上面を覆う。側面板は背面板の両側方にそれぞれ設けられ、一対の側面板によって箱体の両側方が覆われる。
【０００３】
棚板は左右両端から下方に延びる２つの脚部を有する。２つの脚部を箱体内部の底面上に載置することにより、棚板は箱体内部を上下に仕切る。これにより、正面板を開いて棚板上及び底面板上に内容物を載置した状態で収納することができる。
【先行技術文献】
【特許文献】
【０００４】
【特許文献１】実開平１−１０７５１４号（第６頁、第７頁、第３図、第４図）
【発明の概要】
【発明が解決しようとする課題】
【０００５】
しかしながら、上記従来の多段式組立箱によると、棚板は箱体とは異なる別のブランク板から形成される。このため、多段式組立箱の製造コストが増大する問題があった。
【０００６】
本発明は、製造コストを削減できる多段式組立箱を提供することを目的とする。
【課題を解決するための手段】
【０００７】
上記目的を達成するために本発明の多段式組立箱は、一のブランク板から組み立てられるとともに、複数の開口部を上下に並設した正面板と、前記正面板に対向する背面板と、上面に配される上面板と、底面に配される底面板と、両側面に配される一対の側面板と、前記正面板の前面を開閉する扉板と、前記開口部間に配される棚板とを備え、少なくとも一の前記開口部が前記正面板に設けた切り込み線に沿って切起し片を切り起こして形成されるとともに、前記切起し片の先端を前記背面板の内面に接着して前記棚板を形成したことを特徴としている。
【０００８】
この構成によると、正面板、背面板、上面板、底面板、側面板、扉板及び棚板は一のブランク板上に形成される。正面板に設けた切り込み線に沿って切起し片を切り起こすと開口部が形成される。そして、切起し片の先端を背面板の内面に接着すると棚板が形成される。扉板を開閉すると正面板の開口部が開閉される。内容物を開口部を介して棚板上及び底面板上に載置して収納することができる。
【０００９】
また本発明は、上記構成の多段式組立箱において、前記ブランク板の一面を印刷面に形成して他面を非印刷面に形成し、前記正面板の前面に前記印刷面を配置するとともに、前記切り込み線が上端を開放したコ字状に形成されることを特徴としている。この構成によると、棚板の上面が非印刷面により形成される。
【００１０】
また本発明は、上記構成の多段式組立箱において、前記上面板から切り起こした一対の把手部を有し、最上段の前記開口部の前記切起し片を前記上面板に接着して前記把手部の切り起しにより形成される孔部を塞ぐと好ましい。
【００１１】
また本発明は、上記構成の多段式組立箱において、前記扉板が前記底面板に連設されるとともに上端部を折曲して前記上面板上に配される係止部を有し、前記係止部から後端を支持して切り起こされる係止片が前記上面板に設けたスリットに挿入されると好ましい。この構成によると、係止片をスリットに挿入することにより、扉板は正面板の前面を閉じた状態を維持する。
【００１２】
また本発明は、上記構成の多段式組立箱において、前記上面板から切り起こした一対の把手部を有し、前記扉板が前記底面板に連設されるとともに上端部を折曲して前記上面板を覆うカバー部を有し、前記カバー部に前記把手部が挿通される挿通孔を設けると好ましい。この構成によると、挿通孔に挿通された把手部を把持することにより、扉板は正面板の前面を閉じた状態を維持する。
【００１３】
また本発明は、上記構成の多段式組立箱において、前記側面板が前記正面板及び前記背面板にそれぞれ対向する対向部を有したコ字型の水平断面形状に形成され、前後の前記対向部間が前記棚板の側端に当接または近接すると好ましい。
【００１４】
また本発明は、上記構成の多段式組立箱において、前記底面板の両側端に連設して前記底面板上に折り返される折返し部を有し、前記折返し部の先端に突設した突設部が前記側面板に設けたスリットに挿入されると好ましい。
【００１５】
また本発明は、上記構成の多段式組立箱において、前記ブランク板が板紙により形成され、前記扉板の上下方向を紙の目の方向にすると好ましい。
【００１６】
また本発明は、上記構成の多段式組立箱において、前記ブランク板が、前記正面板、前記上面板、前記背面板、前記底面板、前記扉板を順に一方向に連設し、前記正面板または前記背面板の両側方に前記側面板を連設して形成されると好ましい。
【００１７】
また本発明は、上記構成の多段式組立箱において、前記ブランク板が、前記正面板、前記上面板、前記背面板、前記底面板を順に一方向に連設するとともに、前記背面板の両側方に前記側面板を連設し、前記扉板を前記正面板の側方に連設して形成されると好ましい。
【発明の効果】
【００１８】
本発明によると、正面板に開口する複数の開口部の少なくとも一の開口部が正面板から切起し片を切り起こして形成され、切起し片の先端を背面板の内面に接着して開口部間の棚板が形成される。これにより、多段式組立箱を一のブランク板により容易に形成することができ、多段式組立箱のコストを削減することができる。
【図面の簡単な説明】
【００１９】
【図１】本発明の第１実施形態の多段式組立箱の扉板を閉じた状態を示す斜視図
【図２】本発明の第１実施形態の多段式組立箱の扉板を閉じた状態を示す斜視図
【図３】本発明の第１実施形態の多段式組立箱の扉板を開いた状態を示す斜視図
【図４】本発明の第１実施形態の多段式組立箱の扉板を開いた状態を示す斜視図
【図５】本発明の第１実施形態の多段式組立箱の垂直断面図
【図６】本発明の第１実施形態の多段式組立箱の水平断面図
【図７】本発明の第１実施形態の多段式組立箱の展開図
【図８】本発明の第１実施形態の多段式組立箱の折り畳んだ状態を示す斜視図
【図９】本発明の第１実施形態の多段式組立箱を組み立てる様子を説明するための斜視図
【図１０】本発明の第１実施形態の多段式組立箱のブランク板をロール紙上に設けた様子を示す斜視図
【図１１】本発明の第２実施形態の多段式組立箱の扉板を閉じた状態を示す斜視図
【図１２】本発明の第２実施形態の多段式組立箱の展開図
【図１３】本発明の第３実施形態の多段式組立箱の扉板を閉じた状態を示す斜視図
【図１４】本発明の第３実施形態の多段式組立箱の扉板を開いた状態を示す斜視図
【図１５】本発明の第３実施形態の多段式組立箱の展開図
【発明を実施するための形態】
【００２０】
＜第１実施形態＞
以下に本発明の実施形態を図面を参照して説明する。図１及び図２は第１実施形態の多段式組立箱の扉板を閉じた状態を異なる方向から見た斜視図を示している。図３は扉板を開いた状態の多段式組立箱を上方から見た斜視図を示し、図４は扉板を開いた状態の多段式組立箱を下方から見た斜視図を示している。
【００２１】
多段式組立箱１は例えば縦３００ｍｍ、横２４０ｍｍ、奥行１００ｍｍの縦長の略直方体形状を有し、正面板２、背面板３、上面板４、底面板５、右側面板６、左側面板７、扉板８及び棚板９を備える。正面板２、背面板３、上面板４、底面板５、右側面板６、左側面板７及び扉板８の外面は印刷が施された印刷面になっているとともに、内面は印刷が施されていない非印刷面になっている。
【００２２】
正面板２には開口部２ａ及び開口部２ｂが上下に並設されている。開口部２ａは正面板２に設けた切り込み線２２１ａに沿って切起し片２１ａを切り起こして形成される。開口部２ｂは正面板２から切り込み２２１ｂにより切起し片２１ｂを切り起こして形成される。
【００２３】
背面板３は正面板２に対向して配置される。上面板４は多段式組立箱１の上面に配されている。上面板４には前方把手部４１及び後方把手部４２が設けられている。前方把手部４１及び後方把手部４２は上面板４から切り起こされて形成される。前方把手部４１及び後方把手部４２の切り起しにより、それぞれ前方孔部４１ａ及び後方孔部４２ａが形成される。使用者は前方把手部４１及び後方把手部４２を同時に掴んで多段式組立箱１を持ち上げて運搬することができる。
【００２４】
また、上面板４には右スリット４ａ及び左スリット４ｂが設けられている。右スリット４ａ及び左スリット４ｂは左右方向に延びている。
【００２５】
図５は多段式組立箱１の垂直断面図を示している。最上段の開口部２ａの切起し片２１ａの内面は接着剤等により上面板４の内面に接着されている。これにより、前方孔部４１ａ及び後方孔部４２ａは塞がれる。したがって、前方孔部４１ａ及び後方孔部４２ａからゴミ等の異物の多段式組立箱１内への侵入を防止することができる。また、上面板４の強度を向上させることができ、前方把手部４１及び後方把手部４２を把持して多段式組立箱１を持ち上げた際の上面板４の撓みを防止することができる。
【００２６】
切起し片２１ｂの先端２１１ｂは粘着剤等により背面板３の内面に接着されている。これにより、棚板９が形成される。棚板９は開口部２ａと開口部２ｂとの間に略水平に配されている。棚板９上及び底面板５上にはそれぞれ開口部２ａ及び開口部２ｂを介して内容物Ｓが載置される。
【００２７】
内容物Ｓに特に限定はないが、例えば、テイクアウトされるドーナツやケーキ等の菓子類を棚板９上及び底面板５上に載置して収納することができる。これにより、自転車の前かごよりも横幅の狭い多段式組立箱１に多数の内容物Ｓを多段に収納し、多段式組立箱１を前かごに入れて内容物Ｓを偏らずに運搬することができる。
【００２８】
また、開口部２ａ及び棚板９を形成した際に、それぞれ棚板９の前端部及び底面板５の前端部には立ち上がり部２１ｃ、２１ｄが形成される。立ち上がり部２１ｃ、２１ｄはそれぞれ棚板９及び底面板５から上方へ延びている。これにより、棚板９上や底面板５上に載置した内容物Ｓの棚板９や底面板５からの落下を防止することができる。なお、棚板９の上面が背面板３側へ行くほど下方になるように棚板９を傾斜させてもよい。これにより、内容物Ｓの棚板９からの落下を一層防止することができる。
【００２９】
切り込み線２２１ａ及び切り込み線２２１ｂは上端を開放したコ字状に形成されている。これにより、棚板９の上面が非印刷面になる。したがって、内容物Ｓが例えば個別包装されていないドーナツ等であってもインクを含む印刷面との接触を防止することができる。
【００３０】
図６は多段式組立箱１の水平断面図を示している。多段式組立箱１の右側面に配される右側面板６はコ字型の水平断面形状に形成され、前方対向部６１及び後方対向部６２を有する。前方対向部６１及び後方対向部６２はそれぞれ正面板２及び背面板３に対向している。
【００３１】
多段式組立箱１の左側面に配される左側面板７はコ字型の水平断面形状に形成され、前方対向部７１及び後方対向部７２を有する。前方対向部７１及び後方対向部７２はそれぞれ正面板２及び背面板３に対向している。
【００３２】
右側面板６は前方対向部６１と後方対向部６２との間が棚板９の右側端に当接している。左側面板７は前方対向部７１と後方対向部７２との間が棚板９の左側端に当接している。これにより、棚板９上に載置された内容物Ｓ表面の付着物や粉末等の棚板９と右側面板６との間や棚板９と左側面板７との間からの落下を防止することができる。
【００３３】
なお、右側面板６及び左側面板７において、前方対向部６１と後方対向部６２との間及び前方対向部７１と後方対向部７２との間が棚板９のそれぞれ右側端及び左側端に近接していてもよい。
【００３４】
右側面板６及び左側面板７の下端部にはそれぞれスリット６ａ、７ａ（図７参照）が設けられている。スリット６ａ、７ａは前後方向に延びている。
【００３５】
底面板５は多段式組立箱１の底面に配されている。また、底面板５は右側折返し部５１及び左側折返し部５２（図７参照）を有する。右側折返し部５１及び左側折返し部５２は底面板５のそれぞれ右側端及び左側端に連接されている。右側折返し部５１及び左側折返し部５２の先端にはそれぞれ右側突設部５１ａ及び左側突設部５２ａ（図７参照）が突設されている。
【００３６】
右側突設部５１ａ及び左側突設部５２ａはそれぞれスリット６ａ、７ａに挿入されている。これにより、右側側面板６及び左側側面板７の開放を防止することができる。なお、図２では、右側突設部５１ａをスリット６ａに挿入する直前の様子を示している。
【００３７】
扉板８は底面板５の前端に連設され、扉板８の下辺を軸に上下に回動して正面板２の前面を開閉する。扉板８は上下方向の長さが左右方向の長さよりも長くなっている。扉板８の上端部には右係止部８１及び左係止部８２が設けられている。右係止部８１及び左係止部８２は扉板８の上端部を折曲して上面板４上に配されている。
【００３８】
また、右係止部８１及び左係止部８２にはそれぞれ右係止片８１ａ及び左係止片８２ａが設けられている。右係止片８１ａ及び左係止片８２ａはそれぞれ右係止部８１及び左係止部８２から後端を支持して切り起こされている。右係止片８１ａ及び左係止片８２ａが
それぞれ上面板４の右スリット４ａ及び左スリット４ｂに挿入されると、扉板８は正面板２の前面を閉じた状態を維持する。これにより、使用者の意思に反する扉板８の開放を防止することができる。
【００３９】
上記構成の多段式組立箱１において、図３及び図４に示すように、開口部２ａ及び開口部２ｂが開放される。そして、内容物Ｓを棚板９上及び底面板５上に載置する。その後に、扉板８を上方へ回動させて、右係止片８１ａ及び左係止片８２ａをそれぞれ右スリット４ａ及び左スリット４ｂに挿入する。その後に、前方把手部４１及び後方把手部４２を把持して多段式組立箱１を持ち上げて運搬することができる。
【００４０】
図７は多段式組立箱１の展開図を示している。なお、図７では組立後の多段式組立箱１の外面（印刷面）になる部分を表にして展開している。多段式組立箱１を形成するブランク板１ａはロール紙や紙製のシートを打ち抜いて形成される。ブランク板１ａの材質に特に限定はないが、例えばマニラボール、ボール紙、カード紙、クラフトボール等の板紙を用いることができる。なお、樹脂シートによりブランク板１ａを形成してもよい。
【００４１】
正面板２の右端及び左端にはそれぞれ右側面板６及び左側面板７が折り線９０を介して連設される。右側面板６及び左側面板７の下端にはそれぞれ右下方フラップ６３及び左下方フラップ７３が折り線９０を介して連設される。正面板２の上端には上面板４が折り線９０を介して連設される。
【００４２】
上面板４の後端（図７では上端）には背面板３が折り線９０を介して連設される。また、背面板３の下端（図７では上端）には底面板５が折り線９０を介して連設されるとともに、底面板５の右端及び左端にはそれぞれ右側折返し部５１及び左側折返し部５２が折り線９０を介して連設される。底面板５の前端（図７では上端）には扉板８が折り線９０を介して連設されるとともに、扉板８の上端には右係止部８１及び左係止部８２が折り線９０を介して連設される。
【００４３】
これにより、ブランク板１ａは、正面板２、上面板４、背面板３、底面板５、扉板８を順に一方向Ｘに連設し、正面板２の両側方にそれぞれ右側面板６及び左側面板７を連設して形成される。なお、右側面板６及び左側面板７を背面板３の両側方に連設してもよい。
【００４４】
扉板８の内面の下端部には接着領域Ａ１が形成されるとともに、正面板２の外面の下端部には接着領域Ｂ１が形成される。接着領域Ａ１、Ｂ１の少なくとも一方には接着剤等が塗布され、接着領域Ａ１、Ｂ１で扉板８の下端部と正面板２の下端部とが貼り合わされる。
【００４５】
背面板３の内面の上下方向中央部には接着領域Ａ２が形成されるとともに、切起し片２１ｂの先端２１１ｂの内面には接着領域Ｂ２が形成される。接着領域Ａ２、Ｂ２の少なくとも一方には接着剤等が塗布され、接着領域Ａ２、Ｂ２で切起し片２１ｂと背面板３とが貼り合わされる。これにより、棚板９（図３参照）が形成される。
【００４６】
上面板４の内面の前後方向中央部（図７では上下方向中央部）には接着領域Ａ３が形成されるとともに、切起し片２１ａの内面の上下方向中央部には接着領域Ｂ３が形成される。接着領域Ａ３、Ｂ３の少なくとも一方には接着剤等が塗布され、接着領域Ａ３、Ｂ３で上面板４と切起し片２１ａとが貼り合わされる。
【００４７】
図７のブランク板１ａにおいて、正面板２を折り線９０で背面板３の内面側に向けて略１８０度折り曲げる。この時、右側面板６及び左側面板７を正面板２に対して折り曲げない。これにより、正面板２は上面板４及び背面板３に重なった状態になる。この時、接着領域Ａ２、Ｂ２で切起し片２１ｂと背面板３とを貼り合わせる。また、接着領域Ａ３、Ｂ３で上面板４と切起し片２１ａとを貼り合わせる。
【００４８】
その後に、底面板５を折り線９０で正面板２の前面側に向けて略１８０度折り曲げる。この時、扉板８を底面板５に対して折り曲げない。これにより、背面板３の下端部の上に底面板５が重なるとともに、正面板２の前面の上に扉板８が重なった状態になる。この時、接着領域Ａ１、Ｂ１で扉板８の下端部と正面板２の下端部とを貼り合わせる。以上の折り曲げ操作により、多段式組立箱１は扁平に折り畳まれた状態になる。
【００４９】
図８は、扁平に折り畳まれた多段式組立箱１を示す斜視図である。正面板２は扉板８と背面板３及び上面板４との間に挟まれている。この時、正面板２の内面は背面板３の内面に近接している。また、上面板４及び底面板５は正面板２及び背面板３と略平行になっているとともに、右側面板６及び左側面板７は正面板２及び背面板３と略平行になっている。これにより、多段式組立箱１は扁平に折り畳まれた容積の小さい状態で輸送や保管が行われる。したがって、多段式組立箱１の輸送コスト及び保管コストを削減することができる。また、多段式組立箱１の使用後には扁平に折り畳むことにより減容化を図ってゴミ容量を削減することができる。
【００５０】
図９は、図８の扁平に折り畳まれた状態から多段式組立箱１を組み立てる様子を説明するための斜視図を示している。図８の状態から正面板２を持ち上げて背面板３から離すと、切起し片２１ａ、切起し片２１ｂ、上面板４及び底面板５が背面板３に対して立ち上がる。
【００５１】
そして、上面板４と底面板５とが略平行になるまで正面板２を持ち上げると、両側方が開放された筒状体が形成される。その後に、右側面板６及び左側面板７を略９０度折り曲げて正面板２と背面板３との間に押入する。この時、前方対向部６１、７１及び後方対向部６２、７２がそれぞれ正面板２及び背面板３に対向するように配置される。また、右下方フラップ６３及び左下方フラップ７３をそれぞれ外側に向けて略９０度折り曲げる。
【００５２】
その後に、右側折返し部５１及び左側折返し部５２を底面板５の内面側に向けて略１８０度折り曲げる。そして、右側突設部５１ａ及び左側突設部５２ａをそれぞれスリット６ａ、７ａに挿入する。これにより、内容物Ｓの販売店の店頭で多段式組立箱１を容易に組み立てることができる。
【００５３】
一般的に紙は抄紙機によりパルプを一方向に流しながら製造する。このため、パルプの流れる方向に繊維が揃いやすくなり、紙には紙の目が形成される。図１０は多段式組立箱１のブランク板１ａをロール紙１００上に設けた様子を示す斜視図である。図１０は、正面板２、上面板４、背面板３、底面板５、扉板８を順に連設した方向Ｘがロール紙１００の紙の目の方向Ｐと略平行になっている様子を示している。
【００５４】
ブランク板１ａは、正面板２、上面板４、背面板３、底面板５、扉板８を順に一方向Ｘに連設している。また、複数のブランク板１ａ間で右側面板６と扉板８とが隣接するようにブランク板１ａをロール紙１００上に設けている。これにより、複数のブランク板１ａをロール紙１００上で並列に配置しても無駄になる紙が少なくなる。したがって、多段式組立箱１の製造コストを一層削減することができる。
【００５５】
また、図１０において、扉板８の上下方向（長手方向）が紙の目の方向Ｐと略平行になっている。これにより、扉板８が上下方向で湾曲することを低減し、扉板８と正面板２の前面との間の隙間を低減することができる。したがって、扉板８と正面板２の前面との間から内容物Ｓ表面の付着物や粉末等が多段式組立箱１の外部へこぼれ出ることを防止することができる。
【００５６】
本実施形態によると、正面板２に開口する開口部２ｂが正面板２から切起し片２１ｂを切り起こして形成され、切起し片２１ｂの先端２１１ｂを背面板３の内面に接着して開口部２ａ、２ｂ間の棚板９が形成される。これにより、多段式組立箱１を一のブランク板１ａにより容易に形成することができ、多段式組立箱１のコストを削減することができる。
【００５７】
また、ブランク板１ａの一面を印刷面に形成して他面を非印刷面に形成し、正面板２の前面に印刷面を配置するとともに、切り込み線２２１ｂが上端を開放したコ字状に形成される。これにより、棚板９の上面が非印刷面となる。したがって、内容物Ｓと印刷面との接触を防止することができる。
【００５８】
また、上面板４から切り起こした前方把手部４１及び後方把手部４２を有するので、使用者は前方把手部４１及び後方把手部４２を把持して多段式組立箱１を持ち上げることができる。また、開口部２ａの切起し片２１ａを上面板４に接着し、前方把手部４１及び後方把手部４２の切り起しによりそれぞれ形成される前方孔部４１ａ及び後方孔部４２ａを塞いでいる。これにより、前方孔部４１ａ及び後方孔部４２ａからゴミ等の異物の多段式組立箱１内への侵入を防止することができる。加えて、上面板４の強度を向上させることができ、前方把手部４１及び後方把手部４２を把持して多段式組立箱１を持ち上げた際の上面板４の撓みを防止することができる。
【００５９】
また、右係止部８１及び左係止部８２からそれぞれ後端を支持して切り起こされる右係止片８１ａ及び左係止部８２ａがそれぞれ上面板４の右スリット４ａ及び左スリット４ｂに挿入される。これにより、閉じた扉板８が使用者の意思に反して開放されることを防止することができる。
【００６０】
また、右側面板６が正面板２及び背面板３にそれぞれ対向する前方対向部６１及び後方対向部６２を有したコ字型の水平断面形状に形成され、前方対向部６１と後方対向部６２と間が棚板９の右側端に当接している。また、左側面板７が正面板２及び背面板３にそれぞれ対向する前方対向部７１及び後方対向部７２を有したコ字型の水平断面形状に形成され、前方対向部７１と後方対向部７２と間が棚板９の左側端に当接している。これにより、内容物Ｓ表面の付着物や粉末等の棚板９の側方からの落下を防止することができる。
【００６１】
なお、前方対向部６１と後方対向部６２と間及び前方対向部７１と後方対向部７２と間が棚板９の側端に近接していてもよい。この場合でも内容物Ｓ表面の付着物や粉末等の棚板９の側方からの落下を防止することができる。
【００６２】
また、底面板５の右側折返し部５１及び左側折返し部５２のそれぞれ先端に突設した右側突設部５１ａ及び左側突設部５２ａがそれぞれスリット６ａ、７ａに挿入される。これにより、閉じた右側面板６及び左側面板７が使用者の意思に反して開放されることを防止することができる。したがって、多段式組立箱１からの内容物Ｓの落下を防止することができる。
【００６３】
また、ブランク板１ａが板紙により形成され、扉板８の上下方向を紙の目の方向Ｐにすると、扉板８が上下方向で湾曲することを低減し、扉板８と正面板２の前面との間の隙間を低減することができる。したがって、扉板８と正面板２の前面との間から内容物Ｓ表面の付着物や粉末等が多段式組立箱１の外部へこぼれ出ることを低減することができる。
【００６４】
また、ブランク板１ａが、正面板２、上面板４、背面板３、底面板５、扉板８を順に一方向Ｘに連設し、正面板２の両側方にそれぞれ右側面板６及び左側面板７を連設して形成される。これにより、一のブランク板１ａから多段式組立箱１を容易に実現することができる。
【００６５】
また、接着領域Ａ１、Ｂ１で扉板８の下端部と正面板２の下端部とを貼り合わせている。これにより、底面板５の内面上に例えばフラップ等による段差が生じないため、底面板５の内面上に載置した内容物Ｓの損傷を防止することができる。
【００６６】
なお、本実施形態において、右側面板６及び左側面板７を背面板３のそれぞれ右端及び左端に連設してもよい。この場合でも、一のブランク板１ａから多段式組立箱１を容易に実現することができる。
【００６７】
また、正面板２の前面に開口部２ａや開口部２ｂと同様な３つ以上の開口部を上下に並設して、棚板９を２つ以上形成してもよい。
【００６８】
また、切起し片２１ａを正面板２から完全に切り取って開口部２ａを形成してもよい。また、切起し片２１ａを下方へ回動させて先端を背面板３の内面に接着させて棚板９を形成してもよい。
【００６９】
＜第２実施形態＞
次に、本発明の第２実施形態について説明する。図１１は本実施形態の多段式組立箱１の斜視図を示し、扉板８を閉じた状態を示している。図１２は本実施形態の多段式組立箱１の展開図を示している。説明の便宜上、前述の図１〜図１０に示した第１実施形態と同様の部分には同一の符号を付している。本実施形態は第１実施形態の右係止部８１及び左係止部８２を省いており、扉板８を上面板４に係止する構成が第１実施形態とは異なっている。その他の部分は第１実施形態と同様である。
【００７０】
扉板８は上端部を折曲したカバー部８４を有する。カバー部８４には挿通孔８４ａが設けられている。カバー部８４の後端にはカバー係止片８４ｂが連設されている。
【００７１】
上記構成の多段式組立箱１において、扉板８を閉じると扉板８は正面板２の前面を覆う。そして、カバー部８４を扉板８の内面側に向けて略９０度折り曲げる。これにより、カバー部８４は上面板４を覆う。また、カバー係止片８４ｂは後方孔部４２ａに挿入され、切起し片２１ａの先端部と背面板３との間の隙間に配される。この時、前方把手部４１及び後方把手部４２は挿通孔８４ａに挿通される。挿通孔８４ａに挿通された前方把手部４１及び後方把手部４２を把持することにより、扉板８は正面板２の前面を閉じた状態を維持する。なお、扉板８を開く場合には逆の動作を行う。
【００７２】
本実施形態によると、第１実施形態と同様な効果を得ることができる。また、扉板８が上面板４を覆うカバー部８４を有し、カバー部８４に前方把手部４１及び後方把手部４２が挿通される挿通孔８４ａを設けている。これにより、閉じた扉板８が使用者の意思に反して開放されることを簡単な構成で防止することができる。
【００７３】
＜第３実施形態＞
次に、本発明の第３実施形態について説明する。図１３及び図１４は本実施形態の多段式組立箱１の斜視図を示している。なお、図１３及び図１４はそれぞれ扉板８を閉じた状態及び開いた状態の多段式組立箱１を示している。図１５は本実施形態の多段式組立箱１の展開図を示している。説明の便宜上、前述の図１〜図１０に示した第１実施形態と同様の部分には同一の符号を付している。本実施形態は扉板８の開閉方向が第１実施形態とは異なっている。また、正面板２の下端に糊代片２５を連設している点で第１実施形態とは異なっている。その他の部分は第１実施形態と同様である。
【００７４】
第１実施形態では扉板８は底面板５の前端に連設されているが、本実施形態では扉板８は正面板２の左端に折り線９０を介して連設されている。なお、扉板８を正面板２の右端に折り線９０を介して連設してもよい。扉板８の右端には係止部８５が折り線９０を介して連設されている。また、第１実施形態とは異なり、背面板３の右端及び左端にはそれぞれ右側面板６及び左側面板７が折り線９０を介して連設されている。また、正面板２の下端には糊代片２５が折り線９０を介して連設されている。また、右側面板６の前方対向部６１にはスリット６１ａが設けられる。
【００７５】
これにより、ブランク板１ａが、糊代片２５、正面板２、上面板４、背面板３、底面板５を順に一方向Ｘに連設するとともに、背面板３の両側方にそれぞれ右側面板６及び左側面板７を連設し、扉板８を正面板２の左端に連設して形成される。
【００７６】
底面板５の内面の前端部（図１５では上端部）には接着領域Ａ１が形成されるとともに、糊代片２５の外面には接着領域Ｂ１が形成される。接着領域Ａ１、Ｂ１の少なくとも一方には接着剤等が塗布され、接着領域Ａ１、Ｂ１で底面板５と糊代片２５とが貼り合わされる。
【００７７】
上記構成の多段式組立箱１において、扉板８を閉じると扉板８は右方向に回動して正面板２の前面を覆う。そして、係止部８５をスリット６１ａに挿入する。これにより、扉８を閉じた状態を維持することができる。なお、扉板８を開く場合には逆の動作を行う。これにより、扉板８は左右方向に回動して正面板２の前面を開閉する。
【００７８】
本実施形態によると、第１実施形態と同様な効果を得ることができる。また、ブランク板１ａが、糊代片２５、正面板２、上面板４、背面板３、底面板５を順に一方向Ｘに連設するとともに、背面板３の両側方にそれぞれ右側面板６及び左側面板７を連設し、扉板８を正面板２の左端に連設して形成される。これにより、長手方向が上下方向となる扉板８の左端を回動軸にして扉板８を左右方向で回動させることができる。したがって、第１実施形態よりも扉板８の回動半径を小さくすることができ、多段式組立箱１に対して内容物Ｓの出し入れを容易に行うことができる。その結果、多段式組立箱１の使用性を向上させることができる。
【００７９】
なお、第１、第２実施形態において、正面板２の下端に折り線９０を介して糊代片２５を連設し、扉板８の下端部と正面板２の下端部とを貼り合わせずに、糊代片２５と底面板５とを接着剤等により貼り合わせてもよい。
【産業上の利用可能性】
【００８０】
本発明は、内部を上下に仕切る棚板を備える多段式組立箱に利用可能である。
【符号の説明】
【００８１】
１      多段式組立箱
１ａ    ブランク板
２      正面板
２ａ    開口部
２ｂ    開口部
３      背面板
４      上面板
４ａ    右スリット
４ｂ    左スリット
５      底面板
６      右側面板
６ａ    スリット
７      左側面板
７ａ    スリット
８      扉板
９      棚板
２１ａ  切起し片
２１ｂ  切起し片
２５    糊代片
４１    前方把手部
４１ａ  前方孔部
４２    後方把手部
４２ａ  後方孔部
５１    右側折返し部
５１ａ  右側突設部
５２    左側折返し部
５２ａ  左側突設部
６１    前方対向部
６２    後方対向部
６３    右下方フラップ
７１    前方対向部
７２    後方対向部
７３    左下方フラップ
８１    右係止部
８１ａ  右係止片
８２    左係止部
８２ａ  左係止片
８４    カバー部
８４ａ  挿通孔
８４ｂ  カバー係止片
８５    係止部
２１１ｂ    先端
２２１ａ    切り込み線
２２１ｂ    切り込み線
【図１】
2015081137.tif 000003
【図２】
2015081137.tif 000004
【図３】
2015081137.tif 000005
【図４】
2015081137.tif 000006
【図５】
2015081137.tif 000007
【図６】
2015081137.tif 000008
【図７】
2015081137.tif 000009
【図８】
2015081137.tif 000010
【図９】
2015081137.tif 000011
【図１０】
2015081137.tif 000012
【図１１】
2015081137.tif 000013
【図１２】
2015081137.tif 000014
【図１３】
2015081137.tif 000015
【図１４】
2015081137.tif 000016
【図１５】
2015081137.tif 000017